(57)【要約】【課題】接続の際に接続導体に大きな傷を付けることがなく、回路遮断器の取り付け時に位置合わせがしやすく、また、接続導体の種類を選ばず、電源側と負荷側の両方の端子装置として使用することができる回路遮断器の端子装置を提供する。【解決手段】遮断器ケース３の側面から接続導体７が挿入可能に形成された挿入孔８内の下側に金属板材で形成した端子座４を配置し、端子座４は下部に設けた板バネ６によって上方向に付勢され、挿入孔８内の上側に遮断器ケース３の上面から操作部５ａを露出させた樹脂製のストッパー体５を回動可能に軸支し、ストッパー体５は操作部５ａを除く外周に金属製のプレート９が取り付けられ、ロック操作時に挿入孔８内に突出して端子座４とで接続導体７を挟持固定する突出部５ｂを有し、ストッパー体５の操作部５ａを操作して挿入孔８内に挿入された接続導体７を係脱自在にする。【選択図】　　　　図１
2004031184.tif 000002
【特許請求の範囲】
【請求項１】
遮断器ケースの端部に設けられ、側面の挿入孔から接続導体が挿入可能に設けられた回路遮断器の端子装置において、前記挿入孔内の下側に金属板材で形成した端子座を配置し、該端子座は下部に設けたバネによって上方向に付勢され、前記挿入孔内の上側に遮断器ケースの上面から操作部を露出させた樹脂製のストッパーー体を回動可能に軸支し、該ストッパー体はロック操作時に前記挿入孔内に突出して前記端子座とで前記接続導体を挟持固定する突出部を有し、該ストッパー体の操作部を操作して前記挿入孔内に挿入された前記接続導体を係脱自在にしたことを特徴とする回路遮断器の端子装置。
【請求項２】
前記ストッパー体の操作部はロック時に前記遮断器ケースの上面と略面一に収納され、ロック解除時に前記遮断器ケースの上面から突出することを特徴とする請求項１に記載の回路遮断器の端子装置。
【請求項３】
前記ストッパー体の操作部を除く外周に金属製のプレートを取り付けたことを特徴とする請求項１又は請求項２に記載の回路遮断器の端子装置。
【請求項４】
前記ストッパー体のロック時に前記接続導体に圧接する前記ストッパー体の突出部に位置するプレートの一部又は前記端子座の一部を切り起こして抜け止め防止部を形成したことを特徴とする請求項３に記載の回路遮断器の端子装置。
【請求項５】
前記ストッパー体のロック時に前記遮断器ケースの上面から前記プレートの一部が露出することを特徴とする請求項３又は請求項４に記載の回路遮断器の端子装置。
【発明の詳細な説明】
【０００１】
【発明の属する技術分野】
本発明は、回路遮断器の端子装置に関する。
【０００２】
【従来の技術】
回路遮断器に電線や導電バー等の接続導体を接続するために遮断器ケースの端部に設けられる端子装置にはアップ端子とソルダーレス端子というものがある。
【０００３】
まず、アップ端子２１は図６に示すように遮断器ケース２２の端部に設けられ、端子座２３に端子ねじ２４が螺合するめねじ孔２３ａが穿設され、端子座２３の上側に端子ねじ２４が挿通する挿通孔２５ａが穿設された押さえ板２５が配置され、押さえ板２５と端子座２３との間に電線等の接続導体２６を挿入して押さえ板２５の挿通孔２５ａに端子ねじ２４を挿通させてドライバー２８等で端子座２３のめねじ孔２３ａに螺着することにより押さえ板２５と端子座２３が接続導体２６を挟持して固定していた。
【０００４】
また、ソルダーレス端子３１は図７に示すように断面略ロ状に折曲形成した箱形端子金具３２の上面板３２ａに端子ねじ３３が螺合するめねじ孔３２ｂが穿設され、箱形端子金具３２の内面の底面板３２ｃに端子座３４が添装されている。箱形端子金具３２に接続導体３５を挿入して端子ねじ３３をドライバー３６等で締め付けることにより端子ねじ３３の先端が接続導体３５を端子座３４に押圧して接続していた。
【０００５】
これらのねじ式の端子装置は接続導体の接続の際にドライバー等の工具を必要とするし、ねじの締め付けに時間がかかるという欠点があった。これらの問題を解決するものとして差し込み式の速結端子がある。
【０００６】
速結端子は特開平１０−７４５４５号公報の図１及び図５に示すように端子座（２１）と、鎖錠バネ（３）と、解除ボタン（４）とで成り、端子座（２１）の下側に抜け止め防止部（３０）と圧接部（３１）とを有する鎖錠バネ（３）を配置し、遮断器ケース（１）の側面に形成した挿入孔（１０）から接続導体（９）を挿入させることにより、鎖錠バネ（３）の抜け止め防止部（３０）が接続導体（９）に食い込んで係合し、圧接部（３１）が接続導体（９）を端子座（２１）に圧接して挟持固定するものである。接続導体（９）を取り外すには遮断器ケース（１）の上面から突出した解除ボタン（４）を操作して抜け止め防止部（３０）と接続導体（９）の係合を解除することにより引き抜くことができる。
【０００７】
【発明が解決しようとする課題】
この速結端子は、簡単に接続導体が接続ができるように接続する際にロックの状態で接続導体を差し込むようになっている。しかし、この速結端子には欠点が２つあり、１つ目は鎖錠バネの抜け止め防止部によって接続導体に傷を付けてしまうことである。通常、分電盤に配設される分岐ブレーカは、電源側の端子装置には導電バーが接続され、負荷側の端子装置には電線が接続される。接続導体を再接続する場合、電線では傷の付いた部分を切り落とせば再接続することができるが、導電バーでは交換しなければならなかった。２つ目は分岐ブレーカを導電バーに接続する際に位置合わせが難しいことである。これら２つの問題を解決するには解除ボタンを操作しながら接続導体を端子装置に接続しなければならず作業性が悪かった。
【０００８】
そこで上記問題を解決するため、特開２０００−２１５７８０号公報の図１０及び図１１に示すように分岐ブレーカ（１）の電源側の端子装置はプラグイン端子（８）という端子装置を備え、負荷側の端子装置は速結端子を備えたものがある。この端子装置は図９に示すように差し込み口部分が狭く形成されたＵ字バネ（８）で成り、板状の導電バー（２）をＵ字バネ（８）に圧入することにより接続するものである。
【０００９】
一般に分岐ブレーカは分電盤に配設される際に導電バーを挟んだ両側に取り付けられる。しかしながら、電源側の端子装置にプラグイン端子を備え、負荷側の端子装置に速結端子を備えた分岐ブレーカは、分電盤に配設する際に導電バーを挟んで対称に取り付けなければならなかった。分岐ブレーカの取り付け方向が一定でないので、見栄えが悪いし、操作ハンドルの方向も逆になるのでブレーカのオン・オフが分かりづらかった。また、分岐ブレーカの取り付け方向を一定にするためには、２種類の分岐ブレーカを用意しなければならないという問題があった。
【００１０】
そこで上記問題点に鑑み、本発明の目的は、接続の際に接続導体に大きな傷を付けることがなく、回路遮断器の取り付け時に位置合わせがしやすく、また、接続導体の種類を選ばず、電源側と負荷側の両方の端子装置として使用することができる回路遮断器の端子装置を提供することである。
【００１１】
【課題を解決するための手段】
上記目的を達成するために、請求項１に記載の発明によれば、遮断器ケースの端部に設けられ、側面の挿入孔から接続導体が挿入可能に設けられた回路遮断器の端子装置において、挿入孔内の下側に金属板材で形成した端子座を配置し、端子座は下部に設けたバネによって上方向に付勢され、挿入孔内の上側に遮断器ケースの上面から操作部を露出させた樹脂製のストッパー体を回動可能に軸支し、ストッパー体はロック操作時に挿入孔内に突出して端子座とで接続導体を挟持固定する突出部を有し、ストッパー体の操作部を操作して挿入孔内に挿入された接続導体を係脱自在にしたことを特徴とする。
【００１２】
請求項２に記載の発明によれば、請求項１に記載の回路遮断器の端子装置において、ストッパー体の操作部はロック時に遮断器ケースの上面と略面一に収納され、ロック解除時に遮断器ケースの上面から突出することを特徴とする。
【００１３】
請求項３に記載の発明によれば、請求項１又は請求項２に記載の回路遮断器の端子装置において、ストッパー体の操作部を除く外周に金属製のプレートを取り付けたことを特徴とする。
【００１４】
請求項４に記載の発明によれば、請求項３に記載の回路遮断器の端子装置において、ストッパー体のロック時に接続導体に圧接するストッパー体の突出部に位置するプレートの一部又は端子座の一部を切り起こして抜け止め防止部を形成したことを特徴とする。
【００１５】
請求項５に記載の発明によれば、請求項３又は請求項４に記載の回路遮断器の端子装置において、ストッパー体のロック時に遮断器ケースの上面からプレートの一部が露出することを特徴とする。
【００１６】
【発明の実施の形態】
請求項１に記載の発明によれば、遮断器ケースの端部に設けられ、側面の挿入孔から接続導体が挿入可能に設けられた端子装置において、挿入孔内の下側に金属板材で形成した端子座を配置し、端子座は下部に設けたバネによって上方向に付勢され、挿入孔内の上側に遮断器ケースの上面から操作部を露出させた樹脂製のストッパー体を回動可能に軸支し、ストッパー体はロック操作時に挿入孔内に突出して端子座とで接続導体を挟持固定する突出部を有し、ストッパー体の操作部を操作して挿入孔内に挿入された接続導体を係脱自在にしたことにより、接続の際に接続導体に大きな傷を付けることがなく、回路遮断器の取り付け時に位置合わせがしやすく、また、接続導体の種類を選ばず、電源側と負荷側の両方の端子装置として使用することができる。
【００１７】
請求項２に記載の発明によれば、請求項１に記載の回路遮断器の端子装置において、ストッパー体の操作部はロック時に遮断器ケースの上面と略面一に収納され、ロック解除時に遮断器ケースの上面から突出することにより、端子装置のロック状態が一目で確認でき、また、ロック時の外観を良くすることができる。
【００１８】
請求項３に記載の発明によれば、請求項１又は請求項２に記載の回路遮断器の端子装置において、ストッパー体の操作部を除く外周に金属製のプレートを取り付けたことにより、ストッパー体の摩耗による損傷を防止することができる。
【００１９】
請求項４に記載の発明によれば、請求項３に記載の回路遮断器の端子装置において、ストッパー体のロック時に接続導体に圧接するストッパー体の突出部に位置するプレートの一部又は端子座の一部を切り起こして抜け止め防止部を形成したことにより、接続導体を抜け止めすることができる。
【００２０】
請求項５に記載の発明によれば、請求項３に記載の回路遮断器の端子装置において、ストッパー体のロック時に遮断器ケースの上面からプレートの一部が露出することにより、プレートの露出部に試験棒を接触させて導通試験をすることができる。
【００２１】
【実施例】
本発明に係る回路遮断器の端子装置の実施例を図１〜図４の添付図面に基づいて説明する。
【００２２】
回路遮断器１の端子装置２は、遮断器ケース３の端部に設けられ、金属板材で形成された端子座４と、樹脂製のストッパー体５と、端子座４をストッパー体５方向に付勢する板バネ６とで構成している。
【００２３】
端子座４は遮断器ケース３の側面から接続導体７が挿入可能に形成された挿入孔８内の下側に配置され、端子座４の下側に略Ｃ状に形成された板バネ６が配置されている。端子座４と対向する挿入孔８の上側にはストッパー体５が回動可能に軸支されている。
【００２４】
ストッパー体５は遮断器ケース３の上面から操作部５ａが露出して設けられている。操作部５ａはく字状に形成され、また、遮断器ケース３の上面には窪み部３ａが形成され、ストッパー体５をロック状態にした際に操作部５ａが窪み部３ａに収納され、遮断器ケース３の上面と略面一となるようになっている。
【００２５】
ストッパー体５はロック操作時に挿入孔８内に突出して端子座４とで接続導体７を挟持固定する突出部５ｂを有している。この突出部５ｂを含むストッパー体５の操作部５ａを除く外周には金属製のプレート９が凹凸５ｃに嵌合して取り付けられている。突出部５ｂに位置するプレート９の一部は切り起こされ、抜け止め防止部９ａが形成されている。
【００２６】
端子装置２に接続導体７を接続するには、まず、ストッパー体５の操作部５ａを指で起こし、ストッパー体５を回転させて解除状態にする。そして、接続導体７を挿入孔８から挿入させる。接続導体７の先端が奥まで突き当たったらストッパー体５を元の位置に指で倒し、ストッパー体５を回転させてロック状態にする。そうすると、ストッパー体５の突出部５ｂが接続導体７を端子座４に圧接させる。このとき、板バネ６が撓み、接続導体７の厚みに応じて端子座４が移動する。こうしてストッパー体５の突出部５ｂと端子座４とで接続導体７を挟持固定することにより接続される。ストッパー体５のロック時は抜け止め防止部９ａが接続導体７に食い込むので抜け止めが確実にされている。尚、図１（ｂ）で接続導体７は電線であるが図４に示すように板状の導電バーでも同様に接続することができる。また、接続導体７の厚みが変わっても板バネの可変範囲内であれば接続することができる。
【００２７】
ストッパー体５のロック時は、遮断器ケース３の上面からプレート９の一部が露出するので、この露出部９ｂに試験棒を接触させて導通試験をすることができる。
【００２８】
また、端子装置２から接続導体７を取り外すには、ストッパー体５の操作部５ａを指でおこしてロックを解除することにより取り外すことができる。
【００２９】
尚、本実施例では端子座４の下側に板バネ６を配置したが、これに限定するものではなく、例えば、図５に示すようにコイルバネ１６を使用する等、本発明の趣旨を逸脱しないで適宜変更可能である。
【００３０】
また、ストッパー体のプレートに抜け止め防止部を形成したが、端子座の一部を切り起こして抜け止め防止部を形成することもできる。また、ストッパー体に必ずしもプレートを取り付ける必要はない。
【００３１】
また、導通試験ができるようにストッパー体のロック時に遮断器ケースの上面からプレートの一部が露出するように形成したが、端子座を加工して端子座の一部が遮断器ケースから露出するようにしても良い。
【００３２】
【発明の効果】
以上説明したように、請求項１に記載の発明によれば、遮断器ケースの端部に設けられ、側面の挿入孔から接続導体が挿入可能に設けられた回路遮断器の端子装置において、挿入孔内の下側に金属板材で形成した端子座を配置し、端子座は下部に設けたバネによって上方向に付勢され、挿入孔内の上側に遮断器ケースの上面から操作部を露出させた樹脂製のストッパー体を回動可能に軸支し、ストッパー体はロック操作時に挿入孔内に突出して端子座とで接続導体を挟持固定する突出部を有し、ストッパー体の操作部を操作して挿入孔内に挿入された接続導体を係脱自在にしたことにより、接続の際にアンロック状態で保持させることができるので接続導体に大きな傷を付けることがなく、回路遮断器の取り付け時に位置合わせがしやすく、また、接続導体の種類を選ばず、電源側と負荷側の両方の端子装置として使用することができるので分電盤の分岐ブレーカに使用する際に１種類のブレーカで対応できるという効果がある。
【００３３】
請求項２に記載の発明によれば、請求項１に記載の回路遮断器の端子装置において、ストッパー体の操作部はロック時に遮断器ケースの上面と略面一に収納され、ロック解除時に遮断器ケースの上面から突出することにより、端子装置のロック状態が一目で確認でき、また、ロック時の外観を良くすることができるという効果がある。
【００３４】
請求項３に記載の発明によれば、請求項１又は請求項２に記載の回路遮断器の端子装置において、ストッパー体の操作部を除く外周に金属製のプレートを取り付けたことにより、ストッパー体の摩耗による損傷を防止することができるという効果がある。
【００３５】
請求項４に記載の発明によれば、請求項３に記載の回路遮断器の端子装置において、ストッパー体のロック時に接続導体に圧接するストッパー体の突出部に位置するプレートの一部又は端子座の一部を切り起こして抜け止め防止部を形成したことにより、接続導体を抜け止めすることができるという効果がある。
【００３６】
請求項５に記載の発明によれば、請求項３又は請求項４に記載の回路遮断器の端子装置において、ストッパー体のロック時に遮断器ケースの上面からプレートの一部が露出することにより、プレートの露出部に試験棒を接触させて導通試験をすることができるという効果がある。
【図面の簡単な説明】
【図１】本発明に係る回路遮断器の端子装置の要部断面図を示し、（ａ）はアンロック状態、（ｂ）は電線を接続した状態である。
【図２】ストッパー体を示す図である。
【図３】端子装置に電線を接続した状態を示す回路遮断器の斜視図である。
【図４】端子装置に導電バーを接続した状態を示す要部断面図である。
【図５】本発明に係る端子装置の変形実施例を示す要部断面図である。
【図６】従来の回路遮断器の端子装置を示す要部断面図である。
【図７】従来の回路遮断器の端子装置を示す要部断面図である。
【符号の説明】
１　　回路遮断器
２　　端子装置
４　　端子座
５　　ストッパー体
５ａ　操作部
５ｂ　突出部
５ｃ　凹凸
６　　板バネ
７　　接続端子
８　　挿入孔
９　　プレート
９ａ　抜け止め防止部
９ｂ　露出部
【図１】
2004031184.tif 000003
【図２】
2004031184.tif 000004
【図３】
2004031184.tif 000005
【図４】
2004031184.tif 000006
【図５】
2004031184.tif 000007
【図６】
2004031184.tif 000008
【図７】
2004031184.tif 000009